【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
薬剤が分包された分包袋を搬送する搬送路と、
前記搬送路の上で、前記分包袋に分包された前記薬剤を撮像する撮像部と、
前記搬送路の上で、前記分包袋に分包された前記薬剤を散開する分散機構と、
前記撮像部により撮像された前記薬剤の画像に基づいて前記薬剤を監査する検査部と、
を有する調剤監査装置において、
前記分散機構が、
前記分包袋の第２面の側に位置し、前記分包袋を横切る方向に配置された柱状体と、
前記分包袋の第１面の側に位置し、前記柱状体に対して搬送方向の上流側に配置され、前記分包袋の第１面を押圧する第１押圧部材、及び前記柱状体に対して搬送方向の下流側に配置され、前記分包袋の第１面を押圧する第２押圧部材とを含み、前記第１押圧部材と前記第２押圧部材とは、押圧方向と反対方向に独立して移動可能であり、かつ前記柱状体と、前記第１押圧部材と、前記第２押圧部材との相対位置が固定され、
前記分散機構と前記分包袋とが搬送方向に相対的に移動可能である調剤監査装置。
【請求項２】
前記第１押圧部材、及び前記第２押圧部材が、それぞれ複数配置される請求項１に記載の調剤監査装置。
【請求項３】
前記第１押圧部材は第１付勢部材を含み、前記第１付勢部材により前記第１押圧部材は前記分包袋の第１面に付勢され、
前記第２押圧部材は第２付勢部材を含み、前記第２付勢部材により前記第２押圧部材は前記分包袋の第１面に付勢される請求項１又は２に記載の調剤監査装置。
【請求項４】
前記第１押圧部材が、第１車軸に支持された第１車輪と、前記第１車軸を回転自在に支持する第１フレームとを備え、
前記第２押圧部材が、第２車軸に支持された第２車輪と、前記第２車軸を回転自在に支持する第２フレームとを備える、請求項１から３の何れか一項に記載の調剤監査装置。
【請求項５】
前記第１押圧部材が、第１シャフトと、前記第１シャフトに固定された第１先端部材と、前記第１シャフトに取り付けられ、前記第１先端部材を押圧する第１コイルバネとを備え、
前記第２押圧部材が、第２シャフトと、前記第２シャフトに固定された第２先端部材と、前記第２シャフトに取り付けられ、前記第２先端部材を押圧する第２コイルバネとを備える請求項１から３の何れか一項に記載の調剤監査装置。
【請求項６】
前記柱状体は、螺旋柱状体である請求項１から５の何れか一項に記載の調剤監査装置。
【請求項７】
前記柱状体、前記第１押圧部材、及び前記第２押圧部材が前記分包袋に張力を付与する位置に配置される請求項１から６の何れか一項に記載の調剤監査装置。
【請求項８】
前記撮像部が、
前記分包袋の第１面の側に配置された第１撮像部と、
前記分包袋の第２面の側に配置された第２撮像部と、
を備える請求項１から７の何れか一項に記載の調剤監査装置。
【請求項９】
前記搬送路に、前記分包袋を移動させる駆動部を備える請求項１から８の何れか一項に記載の調剤監査装置。
【請求項１０】
前記分散機構と前記分包袋とが搬送方向に相対的に往復移動可能である請求項１から９の何れか一項に記載の調剤監査装置。
【請求項１１】
往復移動の際、往移動の移動速度と復移動の移動速度とが異なる請求項１０に記載の調剤監査装置。
【請求項１２】
前記復移動の移動速度が前記往移動の移動速度より遅い請求項１１に記載の調剤監査装置。
【請求項１３】
搬送路の上を、薬剤が分包された分包袋を搬送する搬送工程と、
前記搬送路の上で、前記分包袋に分包された前記薬剤を分散機構により散開する分散工程と、
前記搬送路の上で、前記分包袋に分包された前記薬剤を撮像する撮像工程と、
前記撮像工程において撮像された前記薬剤の画像に基づいて前記薬剤を監査する検査工程と、を有する調剤監査方法において、
前記分散機構が、
前記分包袋の第２面の側に位置し、前記分包袋を横切る方向に配置された柱状体と、
前記分包袋の第１面の側に位置し、前記柱状体に対して搬送方向の上流側に配置され、前記分包袋の第１面を押圧する第１押圧部材、及び前記柱状体に対して搬送方向の下流側に配置され、前記分包袋の第１面を押圧する第２押圧部材とを含み、前記第１押圧部材と前記第２押圧部材とは、押圧方向と反対方向に独立して移動可能であり、かつ前記柱状体と、前記第１押圧部材と、前記第２押圧部材との相対位置が固定され、前記分散機構と前記分包袋とが搬送方向に相対的に移動可能である調剤監査方法。
【請求項１４】
前記柱状体は、螺旋柱状体である請求項１３に記載の調剤監査方法。
【請求項１５】
前記分散機構と前記分包袋とが搬送方向に相対的に往復移動可能である請求項１３又は１４に記載の調剤監査方法。
【請求項１６】
往復移動の際、往移動の移動速度と復移動の移動速度とが異なる請求項１５に記載の調剤監査方法。
【請求項１７】
前記復移動の移動速度が前記往移動の移動速度より遅い請求項１６に記載の調剤監査方法。
【手続補正２】
【補正対象書類名】明細書
【補正対象項目名】００１１
【補正方法】変更
【補正の内容】
【００１１】
好ましくは、第１押圧部材が、第１車軸に支持された第１車輪と、第１車軸を回転自在に支持する第１フレームとを備え、第２押圧部材が、第２車軸に支持された第２車輪と、第２車軸を回転自在に支持する第２フレームとを備える。
【手続補正３】
【補正対象書類名】明細書
【補正対象項目名】００４１
【補正方法】変更
【補正の内容】
【００４１】
本実施形態の調剤監査装置２０の撮像部６０は、第１撮像部として第１カメラ６０Ａを備え、第２撮像部として第２カメラ６０Ｂを備えている。第１カメラ６０Ａ及び第２カメラ６０Ｂにより薬剤２５の両面を撮像することができる。但し、撮像部６０は、第１カメラ６０Ａ及び第２カメラ６０Ｂの両方を備える必要はなく、何れか一方でもよい。撮像部６０は、被写体の画像データを取得する機能を有するものであり、撮像の方式は、ＣＣＤ（Charge-Coupled Device）イメージセンサ、ＣＭＯＳ（Complementary Metal Oxide Semiconductor）イメージセンサ等に限定されない。
【手続補正４】
【補正対象書類名】明細書
【補正対象項目名】００７７
【補正方法】変更
【補正の内容】
【００７７】
上述したように複数の第１押圧部材７２、及び第２押圧部材７３は、独立して上方向に移動可能である。したがって、通過する薬剤２５の大きさが、搬送方向Ｆの幅方向において異なる場合でも、各々の第１押圧部材７２、及び第２押圧部材７３はその影響を受けずに薬剤２５を散開することが可能となる。すなわち、第１押圧部材７２、及び第２押圧部材７３が独立して移動可能なので、最も大きい薬剤２５を押圧しつつ、かつ最も小さい薬剤２５も押圧することが可能である。
【手続補正５】
【補正対象書類名】明細書
【補正対象項目名】０１１０
【補正方法】変更
【補正の内容】
【０１１０】
図９は、調剤監査装置２０に備えられる第３の分散機構１００の構成図である。分散機構１００は、分包袋２７（不図示）を横切る方向に配置された柱状体１０１と、柱状体１０１に対して搬送方向の上流に配置され、不図示の分包袋２７の第１面２７Ａに押圧される複数の第１押圧部材１０２と、柱状体１０１に対して搬送方向の下流に配置された、不図示の分包袋２７の第１面２７Ａに押圧される複数の第２押圧部材１０３と、を備えている。